(57)【特許請求の範囲】
【請求項１】
取引取扱者によって実行され、それぞれがハードウェアが実行するソフトウェアで行われる複数のステップを有する方法であって、前記複数のステップは、前記取引取扱者の支払処理ネットワークにおいて、
特定の商人との取引に使用を限定するために前記取引取扱者とは異なる発行者によって発行されたプライベートラベル携帯消費者装置によってなされた取引の信用承認要求を受信すること、
前記取引を拒否または許可する信用承認応答を含む第１の送信を送付用にアドレス付けすること、
前記第１の送信が前記取引を許可する前記信用承認応答を有する場合、前記取引に対する決済要求を受信すること、
前記取引に対する前記決済要求が受信され、前記取引が、前記発行者と前記特定の商人との間で使用条項を規定するカスタム決済約定テーブルにおいて設定された基準に適合すると、カスタム決済約定比率を前記決済要求に適用すること、
前記カスタム決済約定比率が前記決済要求に適用されると、前記適用された決済要求に対する決済応答を含む第２の送信を送付用にアドレス付けすること、
を有することを特徴とする方法。
【請求項２】
取引取扱者によって実行され、それぞれがハードウェアが実行するソフトウェアで行われる複数のステップを有する方法であって、前記複数のステップは、前記取引取扱者の支払処理ネットワークにおいて、
特定の商人との取引に使用を限定するために前記取引取扱者とは異なる発行者によって発行されたプライベートラベル携帯消費者装置によってなされた取引の信用承認要求を受信すること、
前記取引を拒否または許可する信用承認応答を含む第１の送信を送付用にアドレス付けすること、
前記第１の送信が前記取引を許可する前記信用承認応答を有する場合、前記取引に対する取引金額を含む決済要求を受信すること、
前記取引に対する前記決済要求が受信され、前記取引が、前記発行者と前記特定の商人との間で使用条項を規定するカスタム決済約定テーブルにおいて設定された基準に適合すると、カスタム決済約定比率を前記決済金額に適用することによってカスタム決済金額を決定すること、
前記カスタム決済金額が決定されると、前記発行者をカスタム決済金額で借方記入すること、
前記カスタム決済金額が借方記入されると、前記カスタム決済金額に対する貸方記入を含む第２の送信を取得者への送付用にアドレス付けすること、
を有することを特徴とする方法。
【請求項３】
取引取扱者によって実行され、それぞれがハードウェアが実行するソフトウェアで行われる複数のステップを有する方法であって、前記複数のステップは、前記取引取扱者の支払処理ネットワークにおいて、
特定の商人との取引に使用を限定するために前記取引取扱者とは異なる発行者によって発行されたプライベートラベル携帯消費者装置によってなされた取引に、前記発行者と前記特定の商人との間に適用されるカスタム決済約定比率を適用する基準を発行者から受信すること、
前記基準と前記カスタム決済約定比率を、他のカスタム決済約定比率に対応する他の基準を含むカスタム決済約定テーブルに格納すること、
支払処理ネットワークにおいて取引の信用承認要求を受信すること、
前記取引を拒否または許可する信用承認応答を含む第１の送信を送付用にアドレス付けすること、
前記第１の送信が前記取引を許可する前記信用承認応答を有する場合、前記取引に対する取引データと取引金額を含む決済要求を受信すること、
前記取引に対する前記決済要求が受信され、前記取引がカスタム決済約定テーブルの前記基準に比較された後で前記基準に適合すると、前記カスタム決済約定比率を前記取引金額に適用すること、
前記取引に対する前記決済要求が受信されると、前記取引に対する決済応答を含む第２の送信を送付用にアドレス付けすること、
を有することを特徴とする方法。
【請求項４】
取引取扱者によって実行され、それぞれがハードウェアが実行するソフトウェアで行われる複数のステップを有する方法であって、前記複数のステップは、前記取引取扱者の支払処理ネットワークにおいて、
特定の商人との取引に使用を限定するために前記取引取扱者とは異なる発行者によって発行されたプライベートラベル携帯消費者装置によってなされた取引に対する信用承認要求を含む第１の送信を送付用にアドレス付けすること、
前記信用承認要求に対して前記取引を拒否又は許可する信用承認応答を受信すること、
前記信用承認応答が前記取引を許可すると、前記取引に対する決済要求を含む第２の送信を送付用にアドレス付けすること、
前記第２の送信が前記取引に対する決済要求を含み、前記取引が、前記発行者と前記特定の商人との間で使用条項を規定するカスタム決済約定テーブルにおいて設定された基準に適合すると、前記決済応答への決済応答を受信すること、
を有し、
カスタム決済約定比率は前記決済要求に適用されることを特徴とする方法。
【請求項５】
前記カスタム決済約定テーブルは、他のカスタム決済約定比率にそれぞれ対応する他の基準を有することを特徴とする請求項１乃至４のうちいずれか１項に記載の方法。
【請求項６】
前記カスタム決済約定テーブルにおいて設定された前記基準は、前記発行者から受信されることを特徴とする請求項１乃至４のうちいずれか１項に記載の方法。
【請求項７】
前記カスタム決済約定テーブルにおいて設定された前記基準に対応する前記カスタム決済約定比率は、前記取引にかかわる前記発行者から受信されることを特徴とする請求項６に記載の方法。
【請求項８】
前記決済要求は取引金額を含み、前記決済応答は前記取引金額とは異なるカスタム決済金額を含むことを特徴とする請求項１または４に記載の方法。
【請求項９】
前記決済応答は前記取引金額とは異なるカスタム決済金額を含むことを特徴とする請求項３に記載の方法。
【請求項１０】
前記基準は、銀行識別番号（ＢＩＮ）、カード又は口座番号範囲、商人ベリフィケーションバリュー（ＭＶＶ）、取引金額、商人の位置、および、ストックキーピングユニット（ＳＫＵ）データからなるグループから選択されることを特徴とする請求項１乃至９のいずれか１項に記載の方法。
【請求項１１】
前記取引に対する前記信用承認要求は、クーポン、ロイヤルティプログラム、クレジットラインチェック、ワランティおよびアクティベーション状態の少なくとも一つを含むことを特徴とする請求項１乃至１０のうちいずれか１項に記載の方法。
【請求項１２】
取引取扱者が、ハードウェアが実行するソフトウェアによって複数の取引を処理し、各処理は、前記取引取扱者とは異なる発行者が消費者に特定の商人との取引に使用を限定するために発行するプライベートラベル携帯消費者装置に関連付けられた口座についての前記取引に携わる商人と前記消費者によって特徴付けられている支払処理システムであって、
前記取引の支払いを取得することを前記発行者に要求する前記取引取扱者による処理のために前記取引を提出するために、前記商人が前記取引を取得者に提出し、前記発行者は前記支払いを前記取引取扱者に転送し、前記取引取扱者は前記支払いを前記取得者に転送して前記商人に前記取引を支払う前記取引取扱者が接続されたオープンループコンピュータネットワークと、
前記商人が決済要求を前記発行者に提出して前記発行者に前記取引の支払いを要求し、前記発行者が前記取引の前記支払いを前記商人に転送し、前記商人と前記発行者は前記取引の支払いの少なくとも一つの条件を規定するカスタム決済約定を有する前記取引取扱者が接続されたクローズドループコンピュータネットワークと、
を有し、
前記商人が前記プライベートラベル携帯消費者装置によってなされた前記取引を前記オープンループネットワークに提出し、前記取引が所定の基準に適合すると、前記取引取扱者はカスタム約定比率を前記支払いに適用し、前記取引取扱者は前記発行者に前記適用された支払いをするように要求し、前記発行者は前記適用された支払いを前記取引取扱者に転送し、前記取引取扱者は前記適用された支払いを前記取得者に転送して前記商人に前記取引の支払いをし、
前記取引が前記少なくとも一つの条件に適合すると、前記商人は前記適用された支払い未満の支払いに等しい前記取引の残りの支払いを取得するために前記決済要求を前記発行者に提出することを特徴とする支払処理システム。
【請求項１３】
前記カスタム決済約定は、他のカスタム決済約定比率にそれぞれ対応する他の基準を有することを特徴とする請求項１２に記載の支払処理システム。
【請求項１４】
前記基準と前記カスタム約定比率は、前記発行者から前記取引取扱者によって受信されることを特徴とする請求項１２に記載の支払処理システム。
【請求項１５】
前記基準は、銀行識別番号、カード範囲、商人ベリフィケーションバリュー（ＭＶＶ）、取引金額、商人の位置、および、ストックキーピングユニット（ＳＫＵ）データからなるグループの少なくとも一つであることを特徴とする請求項１２乃至１４のうちいずれか１項に記載の支払処理システム。
【請求項１６】
前記取引は、クーポン、ロイヤルティプログラム、クレジットラインチェック、ワランティおよびアクティベーション状態からなるグループの一つであることを特徴とする請求項１２乃至１５のうちいずれか１項に記載の支払処理システム。
【発明の詳細な説明】
【技術分野】
【０００１】
本発明は、２００８年１２月６日に提出されて名称が「カスタム決済約定」であり、ここでその全体が参照されて結合された米国出願シリアル番号第６１／１２０，４１７号と、２００９年１２月３日に提出されて名称が「カスタム決済約定」であり、ここでその全体が参照されて結合された米国出願シリアル番号第１２／６３０，４５６号の優先権を請求する。
【０００２】
本発明は、一般に、支払処理ネットワークにおいて処理が発生する、携帯消費者装置にそれぞれ対応する口座に関する取引の処理に関する。特に、該取引の処理は、支払処理ネットワークの外部で処理毎に資金を移動することを含む。
【背景技術】
【０００３】
プライベートラベル携帯消費者装置は、ビザ、マスターカード、ディスカバーまたはアメリカンエキスプレスなどの主要なネットワークのロゴを持たない、例えば、プリペイドカード、クレジットカード、ギフトカードなどの携帯消費者装置である。代わりに、プライベートラベルカードは、典型的に商人のロゴしか持たず、その商人との取引に限定されている。主要なネットワーク携帯消費者装置と異なり、プライベートラベル携帯消費者装置は、装置の発行者とロゴが載っている商人との間の使用条件を指図する特別のカスタム決済約定を含み、プライベートラベル携帯消費者装置を承認する従来の支払処理ネットワークの能力を限定している。これらのカスタマイズされた決済約定の例は、特定製品に対して割引された比率について商人と交渉する発行者を含み、カード保持者は全額を支払い、商人と発行者の間の決済の間に割引が適用される。あるいは、カード保持者は商人との割引を受け取り、発行者はその後にある方法で割引費用を分割する。
【発明の概要】
【発明が解決しようとする課題】
【０００４】
現在、支払処理ネットワークは、発行者と商人の間の資金の移転がこれらの支払処理ネットワークの外部で起こるカスタマイズされた決済約定を有するプライベートラベルカードプログラムを取り扱うことができない。取引の信用承認は、それを資金が交換される清算決済処理に提出しなければ、商人のポイントオブセール（ＰＯＳ）端末で操作上の及び／又はシステムの変更を必要とする。これらの変更は殆どのプライベートラベルカードプログラムを実行するのに費用がかかる。商人のポイントオブセール（ＰＯＳ）端末でこれらのカードを使用可能なことは、発行者と商人との間でカスタマイズされた決済約定を有するプライベートカードプログラムにとって望ましい。
【０００５】
支払処理ネットワークの外部で取引毎に実際の資金の移動が起こるが取引が起こるＰＯＳにおける変更を必要とせず、従来の支払処理ネットワークの内部でプライベートラベルカードに対応する口座に関する取引を提供することは長所である。
【課題を解決するための手段】
【０００６】
ある実施例においては、支払処理ネットワークにおいて取引の信用承認要求が受信され、前記取引を拒否または許可する応答を含む送信が送付用にアドレス付けされる。許可された取引に対して、前記取引に対する決済要求が受信される。前記取引がプライベートラベル携帯消費者装置に関わるものとして前記取引を識別する基準に適合すると、カスタム決済約定比率が前記決済要求に適用される。最後に、前記適用された決済要求に対する決済応答を含む別の送信が送付用にアドレス付けされる。
【０００７】
別の実施例においては、支払処理ネットワークにおいて取引の信用承認要求を受信され、前記取引を拒否または許可する応答を含む送信が送付用にアドレス付けされる。許可された取引に対して、前記取引に対する取引金額を含む決済要求が受信される。前記取引がプライベートラベル携帯消費者装置に関わるものとして前記取引を識別する基準に適合すると、カスタム決済約定比率が前記決済要求において要求された前記決済金額に適用されてカスタム決済金額を決定する。前記カスタム決済金額は、発行者によって発行された口座から借方記入され、前記カスタム決済金額に対する貸方記入を含む別の送信が送付用にアドレス付けされる。
【０００８】
更に別の実施例においては、カスタム決済約定比率を取引に適用する基準が発行者から受信され、前記基準と前記カスタム決済約定比率が他のカスタム決済約定比率に対応する他の基準を含むテーブルに格納される。次に、支払処理ネットワークにおいて取引の信用承認要求が受信され、前記取引を拒否または許可する応答を含む送信が送付用にアドレス付けされる。許可された取引に対して、取引データと支払金額を含む決済要求が受信される。前記取引データがプライベートラベル携帯消費者装置に関わるものとして前記取引を識別する基準に適合すると、カスタム決済金額を決定するために、カスタム決済約定比率が前記決済要求において要求された前記決済金額に適用される。前記カスタム決済金額は、発行者によって発行された口座から借方記入され、前記カスタム決済金額に対する貸方記入を含む別の送信が送付用にアドレス付けされる。
【０００９】
更なる実施例においては、支払処理ネットワークにおいて取引に対する信用承認要求を含む送信が送付用にアドレス付けされ、前記取引を拒否又は許可する信用承認応答が受信される。許可された取引に対して、決済要求を含む別の取引が送付用にアドレス付けされる。前記取引がプライベートラベル携帯消費者装置に関わるものとして前記取引を識別する基準に適合すると、カスタム決済約定比率が前記決済要求に適用された決済応答が受信される。
【００１０】
更に別の実施例は支払処理システムにおいて発生し、取引取扱者は、発行者が前記消費者に発行する支払装置用の口座に関連付けられた口座についての前記取引に携わる商人と消費者によって特徴付けられた、多数の取引を処理する。この実施例においては、支払処理システムは、オープンループネットワークとクローズドループネットワークの両方を有する。オープンループネットワークにおいては、前記商人が前記取引を前記取引取得者による処理のために提出する。前記取引取扱者は、前記取引がなされた前記口座の前記発行者に前記取引の支払いを取得することを要求する。前記発行者は、前記支払いを前記取引取扱者に転送し、前記取引取扱者は、前記商人に前記取引を支払うために、それを前記取得者に転送する。前記クローズドループネットワークにおいては、前記商人は決済要求を前記発行者に提出し、前記発行者に前記発行者が発行した前記口座からの前記取引の支払いを取得することを要求する。前記発行者は前記支払いを前記商人に転送する。ここで、前記商人と前記発行者の間には前記取引の支払いの条件を規定するカスタム決済約定が存在する。前記商人は、その後、前記取引を前記オープンループネットワークに提出する。それがプライベートラベル携帯消費者装置に関わるものとして前記取引を識別する所定の基準に適合すると、前記取引取扱者は適用された支払いを引き出すために、前記発行者から要求された前記支払いにカスタム約定比率を適用する。前記適用された支払いは、前記発行者から前記取引取扱者に転送され、前記取引取扱者は、前記商人に前記取引の支払いをするために、それを前記取得者に転送する。前記取引が前記カスタム決済約定で定義された支払条件に適合すると、前記商人は、その後、前記商人に未だ借りている金額の支払いを（前記取引がなされた前記口座から）取得するために、決済要求を前記発行者に提出する。
【００１１】
本発明の実施例は、後述する記載から、同様の構成要素には同様の参照符号を付されている図面と共に考慮されると、明らかになるであろう。
【図面の簡単な説明】
【００１２】
【図１】例示的な支払処理ネットワークを示している。
【図２】プライベートラベル携帯消費者装置を使用した購入の信用承認に対する例示的なプロセスフローのフローチャートを示している。
【図３】プライベートラベル携帯消費者装置を使用してなされた購入の清算及び決済に対する例示的なプロセスフローのフローチャートを示している。
【図４】図２及び３に記載された方法を使用する例示的な支払処理ネットワークを示している。
【図５】図示されているように、様々なコンポーネントを有する、図２及び図３に記載された方法が使用可能な、特定の金融取引システムに対する例示的なプロセスを示し、商人と口座についての金融取引（即ち、クレジットカード取引）を実行する際に口座保持者による電子決済を信用承認して代償を支払う際に商人による消費者に対するサービスの提供がある。
【図６】オンラインおよびオフライン取引処理を与える交換センター内に収納されたシステムを示している。
【図７】図５のコンポーネントの別の例を示している。
【発明を実施するための形態】
【００１３】
本説明は、プライベートラベル携帯消費者装置に対応する口座に関して実行される取引を、支払処理システムにおいて、処理することを考慮している。特に、プライベートラベル携帯消費者装置は、ビザ、マスターカード、ディスカバー又はアメリカンエキスプレスなどの主要なネットワークのロゴを持たない、例えば、プリペイドカード、クレジットカード又はギフトカードなどの携帯消費者装置である。代わりに、プライベートラベルカードは、典型的に商人のロゴを持つだけであり、その商人との取引に限定されている。主要なネットワーク携帯消費者装置と異なり、プライベートラベル携帯消費者装置は、装置の発行者とロゴが載っている商人との使用条項を規定する特別のカスタム決済約定を含む。
【００１４】
図１は、例示的な支払処理システムを示している。一般に、取引は、（例えば、口座に関連付けられた消費者である）口座保持者などのユーザ１０２、クレジットカード会社などの取引取扱者１０６、取得者１０８、商人１１０および発行者１０４を含む支払処理システム１００のコンポーネントである異なるエンティティからの参加を含む。取得者１０８と発行者１０４は、取引取扱者１０６を介して通信することができる。商人１１０は、商品又は役務を販売する人またはエンティティである。商人１１０は、例えば、製造業者、流通業者、小売店、積荷業者、薬局、食料品店、ガソリンスタンド、ハードウェア店、スーパーマーケット、専門店、レストラン、又は医院であってもよい。企業間の環境において、ユーザ１０２は、別の商人１１０から購入をする第２の商人であってもよい。商人１１０は、取得者１０８、取引取扱者１０６、又は発行者１０４と通信可能な少なくとも一つのポイントオブセール（ＰＯＳ）端子を利用してもよい。従って、ＰＯＳ端末は支払処理システムと作用的に通信可能である。
【００１５】
典型的に、取引は、口座保持者又は消費者などのユーザ１０２で始まり、商品又は役務との交換を開始するために携帯消費者装置１１２を商人１１０に提供する。携帯消費者装置１１２は、支払いカード、ギフトカード、スマートカード、スマートメディア、ペイロールカード、ヘルスケアカード、リストバンド、口座情報を有する機械可読媒体、エクソンモービル社から商業的に入手可能なスピードパス(R)デバイスやスーパーマーケットディスカウントカードなどのキーチェーンデバイス、携帯電話、パーソナルディジタルアッシスタント、ページャー、セキュリティカード、アクセスカード、無線端末またはトランスポンダなどを含んでもよい。携帯消費者装置１１２は、口座番号または口座保持者名などの情報を格納する揮発性または不揮発性メモリを含んでもよい。
【００１６】
商人１１０は、携帯消費者装置１１２から口座番号などの口座情報を取得するのにＰＯＳ端末を使用してもよい。携帯消費者装置１１２は、無線周波数や磁界認識システムを使用する非接触システムや磁気ストライプリーダなどの接触システムなどのいかなる適当な電気的、磁気的、光学的インタフェースシステムを含む機構を有するＰＯＳ端末とインターフェース接続してもよい。ＰＯＳ端末は、取引信用承認要求を、携帯消費者装置１１２の発行者１０４へ送信する。代わりにまたはこれと組み合わせて、携帯消費者装置１１２は発行者１０４、取引取扱者１０６、または取得者１０８と通信してもよい。
【００１７】
発行者１０４は、取引取扱者１０６を使用して取引を信用承認してもよい。取引取扱者も取引を清算してもよい。信用承認は、発行者１０４または発行者１０４の代わりの取引取扱者１０６を含み、ビジネスルールの使用を通じて発行者１０４の命令に関して取引を信用承認する。ビジネスルールは、取引取扱者１０６、ユーザ１０２、商人１１０、取得者１０８、発行者１０４、金融機関およびそれの組み合わせからの命令や指針を含むことができる。取引取扱者１０６は、信用承認された取引のログや履歴を維持する。一旦許可されると、商人１１０は信用承認を記録し、ユーザ１０２が商品又は役務を受け取ることを許可する。
【００１８】
商人１１０は、一日の終わりなどの不連続の時に、信用承認された取引のリストを取得者１０８又は支払処理システムの他のコンポーネントに提出する。取引取扱者１０６は、提出された信用承認された取引リストを、それ自身の信用承認された取引のログと比較してもよい。一致が認められると、取引取扱者１０６は、信用承認取引金額要求を、対応する取得者１０８から各取引に含まれる対応する発行者１０４へルートしてもよい。一旦取得者１０８が発行者１０４から信用承認された取引金額の支払いを受け取ると、それは商人１１０に手数料などの少ない取引コストで支払いを転送することができる。取引はデビットまたはプリペイドカードに関わる場合は、取得者１０８は商人１１０に支払いをする前に最初の支払いを待たないことを選択してもよい。
【００１９】
前述のプロセスにおいて中断するステップがあってもよく、その幾つかは同時に発生してもよい。例えば、取得者１０８は、取引の金額を取得者１０８に支払うことをもたらす清算及び決済処理を開始してもよい。取得者１０８は、取引取扱者１０６から取引が清算及び決済されることを要求してもよい。清算は、発行者１０４と取得者１０８との間の金融情報の交換を含み、決済は資金の交換を含む。取引取扱者１０６は、取引の決済に関するサービスを提供することができる。取引の決済は、取引取扱者１０６が典型的に選択する決済銀行などの決済機関から、取得者１０８が典型的に選択する清算銀行などの清算機関に取引決済の金額を預金することを含んでもよい。発行者１０４は、決済機関に発行者１０４が典型的に選択する清算銀行などの清算機関から同額を預金してもよい。従って、典型的な取引は、取引の処理を要求、信用承認および実行する様々なエンティティを含む。
【００２０】
実施例は、プライベートラベル携帯消費者装置の処理を含む方法で、図１に記載された支払処理システムを使用する。非限定的な例として、図２は、支払処理システムにおいてプライベートラベル携帯消費者装置でなされた購入の信用承認の実施例を示している。主要なネットワークラベル携帯消費者装置のように、商人１１０と（不図示の）消費者がプライベートラベル携帯消費者装置を使用した取引に携わると、商人１１０は信用承認要求を取得者１０８に送信し、取得者は取引取扱者１０６にその後要求を転送する。取引取扱者１０６は、発行者１０４と交信可能であり、発行者１０４に取引を許可または拒否することを要求する。取引取扱者１０６は、その後、取得者１０８に信用承認要求に対する応答を送信し、取得者はそれを商人１１０に転送する。
【００２１】
ある実施例においては、商人１１０からの信用承認要求は、支払と交換に商品又は役務に対する消費者との取引を含んでいる。別の実施例においては、取引は、例えば、商人１１０と発行者１０４との間のカスタム決済約定に対応するクーポンを含む種類でもよく、信用承認要求はクーポンの有効化のためのものである。更に別の実施例においては、信用承認要求は、ロイヤルティプログラムまたはワランティに対応するプライベートラベル携帯消費者装置（即ち、装置が関連付けられる口座）の有効化を含む取引の種類のためであってもよい。更なる実施例は携帯消費者装置のアクティベーション状態または消費者のクレジットラインの充足をチェックする機能を有する信用承認要求を含んでもよい。
【００２２】
支払の商品又は役務の交換以外の何かを含む信用承認要求にとっては、清算及び決済は不要であり、取引処理は終了する。図３は、プライベートラベル携帯消費者装置による商品又は役務の支払いの許可を含む取引の清算及び決済処理の実施例を示している。支払が許可されたことを含む各取引に対して、商人１１０は取得者１０８に決済要求を送信し、取得者は取引取扱者１０６にそれを転送する。決済要求に対応する取引に対して発行者１０４からの支払いを要求する前に、取引取扱者１０６は、取引がプライベートラベル携帯消費者装置に関わるものであったかを決定するのに識別基準を使用する。非限定的な例として、かかる基準は銀行識別番号、カード又は口座番号範囲、商人ベリフィケーションバリュー（ＭＶＶ）、取引金額、商人の位置、ストックキーピングユニット（ＳＫＵ）データ、他の取引の特徴またはそれらの組み合わせであってもよい。ある実施例においては、識別基準は発行者１０４から取引取扱者１０６に提供され、商人１１０と発行者１０４との間のカスタム決済約定に更に対応する。
【００２３】
取引が基準に適合したためにプライベートラベル携帯消費者装置を含むことを決定すると、取引取扱者１０６は、要求された支払にカスタム約定比率を適用する。ある実施例においては、発行者は、カスタム約定比率を取引取扱者１０６に提供し、そこでカスタム約定比率は特定のカスタム決済約定に対応する。あるいは、カスタム約定比率は、個々の商人と発行者がいかなるカスタム決済約定を有したかどうかに関わらず、取引取扱者１０６によってプライベートラベル携帯消費者装置に関わる全取引に適用される標準比率であってもよい。ある実施例においては、カスタム約定比率は決済要求において要求された支払いの１００％であり、これによって、決済金額ゼロをもたらし、取引取扱者１０６は（ｉ）取引がなされた発行者１０４によって発行された口座を借方記入したり、（ｉｉ）取引がなされた商人用に取得者１０６が保持する口座を貸方記入したりもしない。更に別の実施例においては、カスタム約定比率は、１００％未満であり、発行者１０４から借方記入され、商人１１０に転送されるために取得者１０８に貸方記入された全購入金額未満のある金額をもたらす。
【００２４】
取引取扱者１０６は、多数の商人から様々な発行者への決済要求を処理する。ある実施例においては、基準と関連カスタム約定比率は、全カスタム決済約定に対して同一であってもよい。更に別の実施例においては、取引取扱者１０６は、基準と関連カスタム約定比率を、例えば、異なる商人１１０と発行者１０４の間のカスタム決済約定に対応する多数の基準とカスタム約定比率の組を有するデータベース又はテーブルに格納し、そこで取引データは一致が発見されるまでデータベースに各基準に対して比較される。
【００２５】
更に別の実施例においては、カスタム約定支払金額は、プライベートラベル携帯消費者装置に関わる取引に対して商品１１０に支払い義務がある全支払金額と等しい。しかし、もし、商人１１０に借りている残高があれば、（破線１１４で示された）支払処理ネットワークの外部で発行者１０４と交信する商人１１０は、発行者１０４に彼らの間のカスタム決済約定に従った決済の要求を送信する。発行者１０４は、取引取扱者１０６と取得者１０８による処理なしに、その後直接に適切な支払を商人１１０になす。
【００２６】
図４は、上述したように、図３に示す方法でプライベートラベル携帯消費者装置を処理することが可能な例示的な支払処理システムを示している。図１の支払処理システム１００のように、支払処理システム２００は、ユーザ１０２、取引取扱者１０６、取得者１０８、商人１１０および発行者１０４を含む。取得者１０８と発行者１０４は、支払処理システム１００と同様に、取引取扱者１０６を通じて通信する。
【００２７】
取引はユーザ１０２によって開始され、プライベートラベル携帯消費者装置である携帯消費者装置１１２を商人に渡す。商人１１０は、携帯消費者装置１１２から口座情報を取得するためにそのＰＯＳを使用する。代わりに又はこれと組み合わせて、携帯消費者装置１１２は、発行者１０４、取引取扱者１０６、又は取得者１０８と通信してもよい。
【００２８】
発行者１０４は、取引取扱者１０６を使用して取引を信用承認し、信用承認は発行者又は発行者１０４の代わりの取引取扱者１０６を含み、発行者１０４の命令に関する取引を信用承認する。一旦許可されると、商人１１０は信用承認を記録する。
【００２９】
商人１１０への支払いを含む信用承認された取引に対して、商人１１０は、不連続の期間で、取引取扱者１０６に転送されるように信用承認された取引を決済要求として取得者１０８に提出する。かかる決済要求毎に、取引取扱者１０６は取引情報を所定の基準と比較することによってプライベートラベル携帯消費者装置が取引に関わったかどうかを決定する。一致があれば、取引取扱者１０６は、対応するカスタム約定比率を適用された支払金額を引き出すために必要な支払金額に適用し、発行者１０４に適用された支払金額の要求を転送する。発行者１０４から適用された支払金額を受信すると、取引取扱者１０６は適用された支払金額を取得者１０８に転送し、取得者はそれを商人１１０に転送する。取引情報が所定の基準に適合しないとカスタム約定比率は適用されないので、かかる信用承認された取引に対する清算及び決済処理は図１に関連して説明したように継続する。
【００３０】
商人に１１０によって受信された適用された支払は、信用承認された取引に対して商人１１０に借りている金額未満である場合には、発行者１０４と直接通信する商人１１０は（破線１１４に示すように）、発行者１０４がカスタム決済約定に従って許可された取引を決済するように要求する。
【００３１】
図５を参照すると、取引処理システム５００が示されている。図５の一般の環境は、発行者（ｉ）５０４が口座保持者（ａ）５０８に発行した口座についての口座ユーザ（ａｕ）（例えば、消費者）との商品及び／又は役務の販売に対する取引を実行可能な商人などの商人（ｍ）５１０の環境を含み、そこで取引の支払と支払い受領の処理が少なくとも一つの取引取扱者（ｔｈ）５０２（取引取扱者）（まとめて「ユーザ」）によって調整される。取引は、各々が取引処理システム５００のコンポーネントである異なるエンティティからの参加を含む。
【００３２】
取引処理システム５００は、ＴＨが８桁の整数以上である取引取扱者（ｌ）５０２から取引取扱者（ＴＨ）５０２を含む複数の取引取扱者（ｔｈ）５０２の少なくとも一つを有してもよい。
【００３３】
取引処理システム５００は、Ｍは８桁の整数以上である、商人（ｌ）５１０から商人（Ｍ）５１０を含む複数の商人（ｍ）５１０を有する。商人（ｍ）５１０は、商品及び／又は役務を販売する人又はエンティティであってもよい。商人（ｍ）５１０は、例えば、製造業者、流通業者、小売店、積荷業者、薬局、食料品店、ガソリンスタンド、ハードウェア店、スーパーマーケット、専門店、レストラン、又は医院であってもよい。企業間の環境において、口座保持者（ａ）５０８は、別の商人（ｍ）５１０から購入をする第２の商人（ｍ）５１０であってもよい。
【００３４】
取引処理システム５００は、口座ユーザ（ｌ）５０８から口座ユーザ（ＡＵ）５０８までを含み、ここでＡＵは１０桁の整数以上であってもよい。各口座ユーザ（ａｕ）は、発行者（ｉ）５０４が対応する口座保持者（ａ）５０８へ発行した口座を使用して商品及び／又は役務のために商人（ｍ）５１０と取引をする。口座についての取引からのデータは、商人（ｍ）５１０によって収集され、対応する取得者（ａ）５０６に転送される。取得者（ａ）５０６は、発行者（ｉ）５０４が口座保持者（ａ）５０８に発行した口座からの取引の支払いを容易にする取引取扱者（ｔｈ）５０２にデータを転送する。
【００３５】
取引処理システム５００は複数の取得者（ｑ）５０６を有する。一以上の取引を処理する際に各取得者（ｑ）５０６は、対応するエージェント取得者（ａｑ）５０６に補助されてもよい。ここで、「ｑ」は１からＱの整数であってもよく、「ａｑ」は１からＡＱまでの整数であってもよく、ＱとＡＱは８桁の整数以上であってもよい。各取得者（ｑ）５０６は、一以上の取引を処理する際に、対応するエージェント取得者（ａｑ）５０６に補助されてもよい。ここで、「ｑ」は１からＱの整数であってもよく、「ａｑ」は１からＡＱまでの整数であってもよく、ＱとＡＱは８桁の整数以上であってもよい。
【００３６】
取引取扱者（ｔｈ）５０２は、取引処理システム５００内で複数の取引を処理してもよい。取引取扱者（ｔｈ）５０２は、一または複数のネットワークとスイッチ（ｎｓ）５０２を有することができる。各ネットワーク／スイッチ（ｎｓ）は、他のネットワーク／スイッチ（ｎｓ）５０２と異なる地理的な場所においてメインフレームコンピュータであってもよい。ここで、「ｎｓ」は１からＮＳまでの整数であり、ＮＳは４桁の整数以上である。
【００３７】
専用通信システム５２０、５２２（例えば、プライベート通信ネットワーク）は取引取扱者（ｔｈ）５０２と各発行者（ｉ）５０４と各取得者（ａ）５０６の間の通信を容易にする。ネットワーク５１２は、電子メール、ワールドワイドウェブ、携帯電話通信、及び／又は他の選択的にパブリックおよびプライベート通信システムを介して、各発行者（ｉ）５０４、各取得者（ａ）５０６、各商人（ｍ）５１０、各口座保持者（ａ）５０８および取引取扱者（ｔｈ）５０２の間の通信５２２ａ〜５２２ｅを容易にすることができる。代替的および選択的に、一以上の専用通信システム５２４、５２６、５２８は、各取得者（ａ）５０６と各商人（ｍ）５１０、各商人（ｍ）と各口座保持者（ａ）５０８、各口座保持者（ａ）５０８と各発行者（ｉ）５０４のそれぞれの間の通信を容易にすることができる。
【００３８】
ネットワーク５１２は、インターネット、イントラネット、ワイドエリアネットワーク（ＷＡＮ）、ローカルエリアネットワーク（ＬＡＮ）、仮想プライベートネットワーク、衛星通信ネットワーク、現金自動預け払い機（ＡＴＭ）ネットワーク、インタラクティブ携帯電話またはハンドヘルドデバイスまたはテレビネットワークまたは上述の幾つかの組み合わせなどのデータを交換するのに適した様々な手段のいずれかを代表してもよい。ネットワーク５１２は有線又は無線接続のどちらかまたは両方を、電気、磁気およびそれらの組み合わせを含む信号の送信のために含んでもよい。かかる接続の例は当業界で既知であり、無線周波数接続、光学的接続などを含む。一例として、信号の送信の接続は、電話リンク、デジタル加入者線、またはケーブルリンクであってもよい。更に、ネットワーク５１２は、例えば、トランスミッションコントロールプロトコル／インターネットプロトコル（ＴＣＰ／ＩＰ）などの様々な通信プロトコルのいずれかを利用してもよい。取引処理システム５００内で送信されたデータの処理のあるレベルを実行することができるネットワーク５１２内の多数のノードがある。
【００３９】
取引処理システム５００のユーザは、様々な通信装置のいずれかを使用して、相互作用してもよいし、送信処理システム５００内でお互いのデータを受信してもよい。通信装置は、ディスプレイとランダムアクセスメモリ（「ＲＡＭ」）及び／又はリードオンリメモリ（「ＲＯＭ」）などのメモリに動作的に接続されている処理ユニットを有してもよい。通信デバイスはハードウェアとソフトウェアの組み合わせであってもよく、キーボード、マウス、スタイラス、およびタッチスクリーンなどの入力装置を動作可能にする。
【００４０】
例えば、口座保持者（ａ）５０８による取引処理システム５００の使用は、携帯消費者装置（ＰＣＤ）の使用を含む。ＰＣＤは、通信デバイスの一つであってもよいし、通信デバイスと関連付けられるか、その一部であってもよい。ＰＣＤは、カード（銀行カード、支払いカード、金融カード、クレジットカード、チャージカード、デビットカード、ギフトカード、トランジットパス、スマートカード、アクセスカード、ペイロールカード、セキュリティカード、ヘルスケアカード、大学のカードまたはテレフォンカード）、タグ、腕時計、リストバンド、キーリング、フォブ（例えば、エクソンモービル社から商業的に入手可能なスピードパス(R)）、集積回路チップカード（例えば、ビザ社から商業的に入手可能なビザスマートカードまたはビザペイウエーブ(R)、マスターカードインターナショナルから商業的に入手可能なマスターカードスマートカードまたはマスターカードペイパス(R)）、口座情報を含む機械可読媒体、ページャー、携帯電話、パーソナルデジタルアシスタント、デジタルオーディオプレーヤー、コンピュータ（例えば、ラップトップコンピュータ）、デジタルゲームシステム、セットトップボックス、携帯ワークステーション、小型コンピュータまたはそれらの組み合わせであってもよいフォームファクターを有してもよい。ＰＣＤは、グローバルポジショニングシステム（ＧＰＳ）との通信などの電話通信またはデータ転送のために近距離又は遠距離通信機能（例えば、インターネットまたは衛星通信またはセルネットワークのセルサイトとの通信）を有してもよい。ＰＣＤは、テキストメッセージングのためにショートメッセージサービス（テキストＳＭＳ）や写真とビデオの転送用のマルチメディアメッセージングサービス（ＭＭＳ）、電子メール（ｅメール）アクセスなどの幾つかのサービスを提供してもよい。
【００４１】
ＰＣＤはコンピュータ可読媒体を含んでもよい。磁気ストライプ、またはチップ又はチップセットのメモリなどのコンピュータ可読媒体は、口座識別子、消費者識別子及び／又は期限日などのデータを格納する揮発性、不揮発性、リードオンリまたはプログラマブルメモリを含んでもよい。コンピュータ可読媒体は、コンピュータによって実行されるとコンピュータが方法またはアプリケーションを実行する実行可能な命令を含んでもよい。例えば、コンピュータ可読メモリは、口座番号や口座保持者（ａ）５０８の名前などの情報を含んでもよい。
【００４２】
メモリと実行可能な命令を有するＰＣＤの例は、スマートカード、パーソナルデジタルアシスタント、デジタルオーディオプレイヤー、携帯電話、パーソナルコンピュータ、デジタルゲームシステムまたはそれらの組み合わせを有する。一例として、ＰＣＤは、商人と非接触取引をなすのに消費者が使用可能な金融カードであってもよく、金融カードはマイクロプロセッサ、プログラマブルメモリおよびトランスポンダ（例えば、送信器または受信器）を含む。金融カードは、（固定及び移動デバイスと短距離でデータを交換するための「ブルートゥース」通信無線プロトコルにおいて使用され、これによってパーソナルエリアネットワークを形成するものなど一以上の無線周波数通信などの近距離通信能力を有してもよい。
【００４３】
商人（ｍ）５１０は、口座ユーザ（ａｕ）５０８、取得者（ａ）５０６、取引取扱者（ｔｈ）５０２または発行者（ｉ）５０４と通信可能な少なくとも一つのポイントオブインタラクション（ＰＯＩ）端末（例えば、ポイントオブサービスまたはブラウザによって実行可能な消費者携帯電話）を利用してもよい。ＰＯＩは、商人（ｍ）５１０と消費者との間の取引の助長又は実行に直接または間接に関連するコンテンツ、メッセージング、または他の通信を与える目的でチャンネルを介して、消費者と接続する機会を与える物理的又は仮想的通信装置であってもよい。ＰＯＩの例は、物理的又は仮想的ポイントオブサービス（ＰＯＩ）端末、消費者のＰＣＤ、ポータブルデジタルアシスタンツ、携帯電話、紙の郵便、ｅメール、計算機で起動するブラウザを介してなされるインターネットウェブサイト、またはそれらの組み合わせを含む。従って、ＰＯＩ端末は、取引処理システム５００と作用的に通信することができる。
【００４４】
ＰＣＤは、無線周波数、磁界認識システムなどの非接触システムや磁気ストライプリーダなどの接触システムなどのいかなる適当な電気的、磁気的、または光学的インタフェースシステムを含む機構を使用してＰＯＩとインターフェース接続してもよい。一例として、ＰＯＩは、消費者のヘルスケアカード（例えば、ヘルスセービングアカウントカード）の磁気ストライプと接触する磁気ストライプリーダを有してもよい。消費者のヘルスケアカードの磁気ストライプでコードされたデータは商人（ｍ）５０１でＰＯＩに読み取られて伝えられる。これらのデータは、ヘルスケア口座の口座識別子を含んでもよい。別の例においては、ＰＯＩは、消費者の携帯電話などの消費者のＰＣＤであってもよく、商人（ｍ）５１０またはそのエージェントは、ワールドワイドウェブ（Ｗｅｂ）で実行されるＰＣＤで起動するブラウザによってなされるインタラクティブウェブサイトのウェブページを介して消費者の口座識別子を受信する。
【００４５】
典型的に、取引は口座ユーザ（ａｕ）５０８で開始し、リソース（例えば、商品又は役務）の交換を開始するために携帯消費者装置を商人（ｍ）５１０に提示する。携帯消費者装置は、発行者（ｉ）５０４が口座保持者（ａ）５０８に発行した口座保持者（ａ）５０８の口座（例えば、クレジット口座）に関連付けられてもよい。
【００４６】
商人（ｍ）５１０は、携帯消費者装置から口座保持者（ａ）５０８の幾つかの口座などの口座情報を取得するのにＰＯＩ端末を使用してもよい。携帯消費者装置は、無線周波数、磁界認識システムなどの非接触システムや磁気ストライプリーダなどの接触システムなどのいかなる適当な電気的、磁気的、または光学的インタフェースシステムを含む機構を使用してＰＯＩ端末とインターフェース接続してもよい。ＰＯＩ端末は取引信用承認要求をＰＣＤに関連付けられた口座の発行者（ｉ）５０４に送信してもよい。代わりに又はこれと組み合わせて、ＰＣＤは発行者（ｉ）５０４、取引保持者（ｔｈ）５０２、または取得者（ａ）５０６と通信してもよい。
【００４７】
発行者（ｉ）５０４は、取引を信用承認してそれを取引保持者（ｔｈ）５０２に転送してもよい。信用承認は発行者（ｉ）５０４または発行者（ｉ）５０４の代わりの取引取扱者（ｔｈ）５０２を含み、ビジネスルールの使用を通じて発行者（ｉ）５０４の命令に関する取引を信用承認する。ビジネスルールは、取引取扱者（ｔｈ）５０２、口座保持者（ａ）５０８、商人（ｍ）５１０、取得者（ａ）５０６、発行者（ｉ）５０４、関連金融機関またはそれらの組み合わせからの命令又は指針を含むことができる。取引取扱者（ｔｈ）５０２は、必然的ではないが、信用承認された取引のログ又は履歴を維持する。一旦許可されると、商人（ｍ）５１０は、信用承認を記録して、口座ユーザ（ａｕ）５０８に商人（ｍ）またはそのエージェントから商品又は役務を受け取ることを許容する。
【００４８】
商人（ｍ）５１０は、一日の終わりなどの不連続の期間で、信用承認された取引のリストを取得者（ａ）５０６に提出するか、支払処理システム５００を通じた処理のための他の取引関連データを提出してもよい。取引取扱者（ｔｈ）５０２は、選択的に、提出された信用承認された取引リストをそれ自身の信用承認された取引のログと比較してもよい。取引取扱者（ｔｈ）５０２は、全取得者と発行者の間で許可された信用承認を清算し、対応する取得者（ａ）５０６を各取引に関わる対応する発行者（ｉ）５０４に借方及び／又は貸方記入するために正味の決済金額を決定する。一旦取得者（ａ）５０６が発行者（ｉ）５０４から信用承認された取引の支払いを受け取ると、取得者（ａ）５０６は、取得者と商人との間にある契約合意に基づいて、商人（ｍ）５１０に取引処理手数料などの取引コスト未満の支払いを転送することができる。
【００４９】
上述の処理において中断するステップがあってもよく、その幾つかは同時に発生する。例えば、取得者（ａ）５０６は、清算及び決済プロセスを開始することができ、取引の金額を取得者（ａ）５０６に支払うことをもたらす。取得者（ａ）５０６は、取引取扱者（ｔｈ）５０２から取引が清算および決済されることを要求してもよい。清算は、発行者（ｉ）５０４と取得者（ａ）５０６との間の金融情報の交換を含み、決済は資金の交換を含む。取引取扱者（ｔｈ）５０２は、取引の決済に関するサービスを提供してもよい。取引の決済は、取引取扱者（ｔｈ）６０２が典型的に選択する決済銀行などの決済機関から、取得者（ａ）６０６が維持する口座に取引決済金額を預金することを含んでもよい。発行者（ｉ）６０４は、その正味の満期決済金額を決済機関に預金してもよい。従って、典型的な取引は取引の処理を要求、信用承認および実行する様々なエンティティを含む。
【００５０】
取引処理システム５００は、好ましくは、実時間及びバッチ処理の両方において、信用承認、清算及び決済可能な取引の数とデータペイロードサイズを測るのに適したネットワークコンポーネントを有する。これらは、それに対してハードウェア、ソフトウェア、データ素子およびストレージネットワークデバイスを含む。取引処理システム５００の例は、アメリカンエキスプレストラベルリレーティッドサービスカンパニー社、マスターカードインターナショナル社、ディスカバーフィナンシャルサービシーズ社、ファーストデータコーポレーション、ダイナースクラブインターナショナル社、ビザ社および前述のエージェントによって、少なくとも部分的に操作されるものを含む。
【００５１】
ネットワーク／スイッチ（ｎｓ）５０２の各々は、取引を処理するための一以上のデータセンターを含んでもよく、各取引は５０キロバイト以上のデータを含むことができる。取引に対応するデータは、取引の商品及び役務の種類と量についての情報、口座保持者（ａ）５０８、口座ユーザ（ａｕ）５０８、商人（ｍ）５１０、クーポン、リベート、リワード、ロイヤルティ、割引、返却、交換、キャッシュバック取引などの商品及び役務の税とインセンティブ取扱についての情報を含むことができる。
【００５２】
一例として、ネットワーク／スイッチ（ｎｓ）５０２は、一以上のサーバーファーム（例えば、一以上のサンＵＮＩＸ(R)スーパーサーバー）に対して一以上のメインフレームコンピュータ（例えば、一以上のＩＢＭメインフレームコンピュータ）を含むことができる。メインフレームコンピュータとサーバーファームは広範囲な地理的な位置にあってもよい。
【００５３】
各発行者（ｉ）５０４（またはそのエージェント発行者（ａｉ）５０４）と各取得者（ａ）５０６（またはそのエージェント取得者（ａｑ）５０６）は、専門通信システムを介して各ネットワーク／スイッチ（ｎｓ）５０２と通信するために一以上のルーター／スイッチ（例えば、ＣｉｓｃｏＴＭルーター／スイッチ）を使用することができる。
【００５４】
取引取扱者（ｔｈ）５０２は、取引処理システム５００を通じて処理される取引についての情報を複数のネットワーク／スイッチ５０２の一部として組み込まれてもよい、データウェアハウスに格納することができる。この情報はデータマインされてもよい。データマイニング取引リサーチとモデリングは、広告、口座保持者と商人ロイヤルティインセンティブおよびリワード、フロード検出及び予測のために使用可能であり、現金を支払い及び支払いを受領することを通じて取引処理システム６００または他の従来の支払機構の使用によって可能にされた節約と効率を示すツールを開発するのに使用可能である。
【００５５】
ビザネット(R)システムは、取引処理システム６００において取引取扱者（ｔｈ）６０２の例示的なコンポーネントである。現在、ビザネット(R)システムは、ビザ社によって部分的に操作されている。２００６年の時点で、ビザネット(R)システム社は１７０カ国以上の１０億口座以上で約３億取引を毎日処理していた。約３千万の商人（ｍ）６１０にビザネット(R)システムを通じて１６０００を超える金融機関が接続された。２００７年には、約４兆米ドルに対して約８１０億取引がビザネット(R)システムを通じて清算及び決済され、そのうちの幾つかは約２秒で約２４０００マイルの通信長を有し、複数の停止が取引においてデータを処理する際になされた。
【００５６】
図５は、適当な通信ネットワークを最大限に使用可能で異なるハードウェア、異なるソフトウェア及び／又は異なるプロトコルなど後述するものを含む通信ネットワークを示している。図５は、銀行カード、旅行およびエンターテイメントカード及び他のプライベートラベルおよびプロプライエタリカードを使用して購入と現金取引を提供するグローバル通信ネットワークである。ネットワークは、他のネットワークに対するＡＴＭ取引、紙小切手を使用した取引、スマートカードを使用した取引および他の金融小切手を使用した取引もサポートしている。
【００５７】
これらの取引はネットワークの信用承認、清算及び決済サービスを通じて処理される。信用承認は、購入がファイナライズされるか現金が分散される前に発行者が販売取引を許可または拒否する時になされる。清算は、消費者の口座への転記のために取引が取得者から発行者に送信された時になされ、清算された全取引に対する各取得者と発行者の正味の金融的な立場を計算および決定する処理が続く。決済は実際の資金の交換である。
【００５８】
取引は、デュアルメッセージまたはシングルメッセージ取引のどちらかとして信用承認、清算および決済されることが可能である。デュアルメッセージ取引は二度送信され、一度目は信用承認決定に必要な情報と共に、二度目は清算と決済に対する更なる情報と共に送信される。シングルメッセージ取引は信用承認のために一度送信され、同様に清算及び決済情報を含んでいる。典型的に、信用承認は、電話を介して完成可能であるが、オンラインで発生する。デュアルメッセージ取引に対しては、清算及び決済は、清算処理前に取引のバッチ提出を通じて最も頻繁に完了される。シングルメッセージ取引のために、全ての許可されたシングルメッセージ信用承認が清算処理のために一緒にバッチされる方法が使用される。一旦清算処理が完了すると、各取得者と発行者の正味の決済の立場が決定され、決済の資金移動を有効にする命令が決済銀行に送信される。
【００５９】
図５は、一以上の取引取扱者（ｔｈ）５０２とアクセスポイント５３０、５３２を含んでいる。引受銀行や第三者信用承認エージェントなどの他のエンティティはアクセスポイントを通じてネットワークに接続してもよい。交換センターは、世界のどこに配置されてもよいデータ処理センターである。ある実施例においては、米国に二つ、英国と日本に一つずつ存在する。各交換センターは、ネットワーク取引処理を実行するコンピュータシステムを収納している。交換センターは、ネットワークの通信ファシリティの制御ポイントとして機能し、それは、ＩＢＭのＳＮＡプロトコルに基づく高速専用線と衛星接続を有する。好ましくは、遠隔のエンティティに交換センター（取引取扱者２０２、１４０６）に接続する通信線は、ＩＢＭのＳＮＡ−ＬＵ０通信プロトコルに基づいて専用高帯域電話回路または衛星接続を使用する。メッセージは、ＩＳＯ８５８３標準の適当な実施例を使用して、これらの線を通じて送信される。
【００６０】
アクセスポイント５３０、５３２は、センターのホストコンピュータと交換センターの間でインターフェース接続する処理センターに配置された小型コンピュータシステムから典型的に構成されている。アクセスポイントは、取引の信用承認、清算及び決済を提供する交換センターとホストとの間のメッセージとファイルの送信を容易にする。取得者（ｑ）５０６とそのアクセスポイントとの間とアクセスポイントと発行者（ｉ）５０４との間の通信リンクは典型的にセンター内のローカルリンクであり、センターに所望のプロプライエタリメッセージフォーマットを使用する。
【００６１】
（取得者、発行者または他のエンティティ内に位置するなどの）データ処理センターは、商人とビジネスの位置をサポートする処理システムを収納し、消費者データと請求書システムを維持する。好ましくは、各処理センターは、１つまたは２つの交換センターにリンクされている。プロセッサは最も近い交換センターに接続され、ネットワークが中断を経験すると、ネットワークは自動的に取引を第２の交換センターに送る。各交換センターも他の交換センターの全てにリンクされている。このリンク接続は、処理センターが一以上の交換センターを通じて互いに通信することを可能にしている。同様に、処理センターは他のプログラムのネットワークに交換センターを介してアクセスすることができる。更に、ネットワークは全てのリンクが多数のバックアップを有することを確保する。ネットワークの一つのポイントから他への接続は通常は固定リンクではない。代わりに、交換センターは、所与の送信時に可能な最良の通信路を選択する。障害リンクのリルーティングは自動で発生する。
【００６２】
取引取扱者（ｔｈ）５０２は、取引処理システム５００を通じて処理される取引についての情報を、複数のネットワーク／スイッチ５０２の一部として組み込まれてもよい、データウェアハウスに格納することができる。この情報はデータマインされてもよい。データマイニング取引リサーチとモデリングは、広告、口座保持者と商人ロイヤルティインセンティブおよびリワード、フロード検出及び予測のために使用可能であり、現金を支払い及び支払いを受領することを通じて取引処理システム５００または他の伝統的な支払機構の使用によって可能にされた節約と効率を示すツールを開発するのに使用可能である。
【００６３】
図６は、交換センターに収容されてオンライン及びオフライン取引処理を提供するシステム６４０を示している。デュアルメッセージ取引に対して、信用承認システム６４２は信用承認を与える。システム６４２はオンライン及びオフライン機能を提供し、そのファイルは内部システムテーブル、顧客データベースと商人中央ファイルを含む。システム６４２のオンライン機能はデュアルメッセージ信用承認処理を提供する。この処理は、ルーティング、カード保持者およびカードベリフィケーションおよびスタンドイン処理及びファイル保守などの他の機能を含む。オフライン機能は、報告、請求および回復速報の生成を含む。報告は、信用承認報告、例外ファイルと忠告ファイル報告、ＰＯＳ報告および請求書報告を含む。システム６４２からシステム６４６までのブリッジは、システム６４２を使用して会員がシステム６４６を通じて会員と通信し、シングルメッセージシステムゲートウェイが外部ネットワークにアクセスすることをと可能にする。
【００６４】
清算および決済システム６４４は以前に信用承認されたデュアルメッセージ取引を清算して決済する。全世界で一週間に６日動作すると、システム６４４は金融及び非金融情報を収集して会員間で報告を配布する。また、それは、手数料、費用、決済合計を計算し、和解を補助するために報告を作成する。ブリッジは、センターを処理するシステム６４４とセンターを処理するシステム６４６との間の交換を形成する。
【００６５】
シングルメッセージシステム６４６は全金融取引を処理する。システム６４６は、デュアルメッセージ信用承認と清算取引を処理することもでき、要求されるようにネットワークの外部でブリッジとアクセスを使用してシステム６４２と通信することもできる。システム６４６は、ビザ、プラスインターリンク、及び他のカード取引を処理する。シングルメッセージシステムファイルは、システムアクセスと処理を制御する内部システムテーブル、ＰＩＮベリフィケーションとスタンドイン処理信用承認に使用されるカード保持者データのファイルを含むカード保持者データベースを有する。システム６４６オンライン機能は、実時間カード保持者取引処理と信用承認の例外処理を全金融取引と同様に実行する。システム６４６は、和解及び決済合計を蓄積する。システム６４６オフライン機能は、決済と資金移転要求を処理し、決済と活動報告を提供する。決済サービス６４８は、インターリンクを含むシステム６４４と６４６の決済機能を全商品と役務のために、単一サービスに統合している。清算は、システム６４４と６４６によって別個に継続して実行される。
【００６６】
図７は、通信ネットワーク５００としての図５のコンポーネントの別の図を示している。統合支払システム６５０は、全オンライン信用承認と金融要求取引を処理する主要なシステムである。システム６５０は、デュアルメッセージとシングルメッセージ処理の両方を報告する。両方の場合において、決済は別個に起こる。３つの主要なソフトウェアコンポーネントは共通のインターフェース機能６５２、信用承認システム６４２およびシングルメッセージシステム６４６である。
【００６７】
共通のインターフェース機能６５２は、交換センターで受信したメッセージ毎に要求される処理を決定する。それは、メッセージ（システム６４２、６４４または６４６）のソースに基づいて、適当なルーティング、処理要求の種類および処理ネットワークを選択する。このコンポーネントは、最初のメッセージ編集を実行し、必要があれば、メッセージをパースし、コンテンツが基本メッセージ作成ルールに沿っていることを確保する。共通のインターフェース機能６５２は、メッセージをそのシステム６４２またはシステム６４６の目的場所にルートする。
【００６８】
方法またはプロセスの様々なステップ又は動作は、図示された順番で実行されてもよいし別の順番で実行されてもよい。また、一以上のプロセスまたは方法のステップは省略されてもよいし、一以上のプロセスまたは方法のステップが方法およびプロセスに追加されてもよい。追加のステップ、ブロックまたは動作は、方法およびプロセスの最初、終わり、中間に存在する構成要素に追加されてもよい。ここで提供された開示と教示に基づいて、当業者は様々な実施のための別の手法及び／又は方法を理解するであろう。更に、記載された方法又はプロセスまたはその組み合わせの機能的なステップは、プロセッサによって実行されると機能的なステップを具現化する手段を形成するコンピュータプログラム命令によって具現化可能であることが理解されるであろう。命令は汎用コンピュータ、特定の目的のコンピュータまたは他のプログラム可能な装置にロード可能なコンピュータ可読媒体に含まれてもよい。
【００６９】
ここで説明した実例と実施例は、例示目的のためのみであり、様々な変形と変更がそれに照らして当業者に示唆され、本出願の本旨と趣旨と添付の請求の範囲の内に含まれることを理解しなければならない。
【符号の説明】
【００７０】
１０２…ユーザ、１０４…発行者／発行者プロセッサ、１０６…取引取扱者、１０８…取得者、１１０…商人
【図１】
0005887138.tif 000002
【図４】
0005887138.tif 000003
【図２】
0005887138.tif 000004
【図３】
0005887138.tif 000005
【図５】
0005887138.tif 000006
【図６】
0005887138.tif 000007
【図７】
0005887138.tif 000008